(57)【要約】【課題】コンテンツがどのようなデバイス若しくは利用者を経由してきたのかを把握することができるコンテンツ閲覧端末及びコンテンツ閲覧プログラムを提供する。【解決手段】携帯端末は他のデバイスとの間でコンテンツの移動及び複製を行うことができ、コンテンツが経由した経由デバイス、及び経由デバイスのユーザの少なくともいずれかを識別する識別情報からなる経路情報が、コンテンツの内容を示すデータと共に記憶されている。そして、携帯端末が他のデバイスからコンテンツのデータを取得すると（Ｓ５：ＹＥＳ）、コンテンツを取得した携帯端末の識別情報が、新たに経路情報へ追加される（Ｓ７）。この経路情報は、コンテンツの印刷時にコンテンツと共に印刷され、また、ユーザからの要求に応じて表示部に表示される。【選択図】図６
2009070308.tif 000002
【特許請求の範囲】
【請求項１】
画像又は文書からなるコンテンツを表示する表示手段を備え、前記コンテンツの移動及び複製が可能なコンテンツ閲覧端末であって、
前記コンテンツが経由した経由デバイスを識別するデバイス識別情報、及び前記経由デバイスの利用者を識別する利用者識別情報の少なくともいずれかを含む識別情報からなる経路情報と、前記コンテンツの内容自体に関する情報であるコンテンツ情報とを取得する情報取得手段と、
前記情報取得手段により取得された経路情報に、経由デバイスとして自身の識別情報を追加した経路情報を作成する経路情報作成手段と、
前記経路情報作成手段により作成された前記経路情報を、前記コンテンツ情報に対応付けて記憶装置に記憶させる経路情報記憶手段とを備えたことを特徴とするコンテンツ閲覧端末。
【請求項２】
前記記憶装置に記憶されている経路情報、及び前記経路情報に対応するコンテンツ情報を他のコンテンツ閲覧端末に出力する情報出力手段を備えたことを特徴とする請求項１に記載のコンテンツ閲覧端末。
【請求項３】
前記記憶装置が着脱可能に設けられていることを特徴とする請求項１又は２に記載のコンテンツ閲覧端末。
【請求項４】
前記経路情報には前記識別情報が経由順に示されており、
前記経路情報作成手段は、前記情報取得手段により取得された経路情報の経由順の最後に自身の識別情報を追加した経路情報を作成することを特徴とする請求項１乃至３のいずれかに記載のコンテンツ閲覧端末。
【請求項５】
前記コンテンツの印刷の指示を受け付ける印刷指示受付手段と、
前記印刷指示受付手段により印刷の指示が受け付けられた前記コンテンツ情報と共に、前記コンテンツ情報に対応する前記経路情報を印刷させる指示を印刷装置に送信する印刷指示送信手段とを備えたことを特徴とする請求項１乃至４のいずれかに記載のコンテンツ閲覧端末。
【請求項６】
前記印刷指示送信手段は、前記経路情報として前記経路情報記憶手段に記憶された複数の前記識別情報のうち、所定数の前記識別情報のみを印刷させる指示を前記印刷装置へ送信することを特徴とする請求項５に記載のコンテンツ閲覧端末。
【請求項７】
前記印刷指示送信手段は、前記経路情報に追加された順番が遅い順に所定数の前記識別情報を前記印刷装置に送信することを特徴とする請求項６に記載のコンテンツ閲覧端末。
【請求項８】
前記経由デバイスが前記コンテンツ情報を保持していた時間を算出する保持時間算出手段を備え、
前記印刷指示送信手段は、前記保持時間算出手段によって算出された保持時間が長い方から所定数の前記経由デバイスの前記識別情報を前記印刷装置に送信することを特徴とする請求項６に記載のコンテンツ閲覧端末。
【請求項９】
前記経由デバイスを利用するユーザ毎に、前記識別情報が印刷される優先順位を記憶するユーザ優先順位記憶手段を備え、
前記印刷指示送信手段は、前記ユーザ優先順位記憶手段に記憶されている優先順位が高いユーザが使用した前記経由デバイスの前記識別情報から優先して前記印刷装置に送信することを特徴とする請求項６乃至８のいずれかに記載のコンテンツ閲覧端末。
【請求項１０】
前記経由デバイス毎に、前記識別情報が印刷される優先順位を記憶するデバイス優先順位記憶手段を備え、
前記印刷指示送信手段は、前記デバイス優先順位記憶手段に記憶されている優先順位が高い前記経由デバイスの前記識別情報から優先して前記印刷装置に送信することを特徴とする請求項６乃至８のいずれかに記載のコンテンツ閲覧端末。
【請求項１１】
前記印刷装置によって前記コンテンツと共に印刷される前記経路情報を前記表示手段に表示させる印刷経路情報表示制御手段と、
前記コンテンツ、及び前記印刷経路情報表示制御手段によって前記表示手段に表示された前記経路情報の印刷を許可するか否かの指示を受け付ける印刷許否受付手段とを備え、
前記印刷指示送信手段は、前記印刷許否受付手段により印刷を許可することが受け付けられた場合に前記印刷装置に印刷指示を送信することを特徴とする請求項５乃至１０のいずれかに記載のコンテンツ閲覧端末。
【請求項１２】
前記記憶装置に前記経路情報として記憶されている前記識別情報の数が所定数以上であるか否かを判断する識別情報数判断手段と、
前記識別情報数判断手段によって前記識別情報の数が所定数以上であると判断された場合に、前記コンテンツ情報の他のデバイスへの移動及び複製を禁止する禁止手段とを備えたことを特徴とする請求項１乃至１１のいずれかに記載のコンテンツ閲覧端末。
【請求項１３】
前記記憶装置に前記経路情報として記憶されている前記識別情報の数が、記憶可能な最大数に達しているか否かを判断する記憶可否判断手段と、
前記記憶可否判断手段によって前記識別情報の数が最大数に達していると判断された場合に、優先順位の低い前記識別情報を前記経路情報から削除する識別情報削除手段とを備えたことを特徴とする請求項１乃至１２のいずれかに記載のコンテンツ閲覧端末。
【請求項１４】
前記情報取得手段によって前記コンテンツ情報及び前記経路情報が取得される場合に、前記経路情報に識別情報が追加されることを許可するか否かの指示を受け付ける経路情報追加許否受付手段を備え、
前記情報取得手段は、前記経路情報追加許否受付手段によって前記経路情報に追加されることを許可する旨が受け付けられた場合のみ前記コンテンツ情報及び前記経路情報を取得することを特徴とする請求項１乃至１３のいずれかに記載のコンテンツ閲覧端末。
【請求項１５】
前記記憶装置に記憶されている経路情報、及び前記経路情報に対応するコンテンツ情報を他のコンテンツ閲覧端末に出力する情報出力手段と、
前記情報出力手段によって経路情報及びコンテンツ情報が出力される場合に、送信先のコンテンツ閲覧端末についての識別情報が前記経路情報に追加されることを許可するか否かの指示を受け付ける送信先情報追加許否受付手段とを備え、
前記情報出力手段は、前記送信先情報追加許否受付手段によって前記経路情報に追加されることを許可する旨が受け付けられた場合のみ前記経路情報及び前記コンテンツ情報を出力することを特徴とする請求項１乃至１４のいずれかに記載のコンテンツ閲覧端末。
【請求項１６】
請求項１乃至１５のいずれかに記載のコンテンツ閲覧端末の各種処理手段としてコンピュータを機能させるためのコンテンツ閲覧プログラム。
【発明の詳細な説明】
【技術分野】
【０００１】
本発明は、コンテンツがどのようなデバイスを経由してきたのかを把握することが可能なコンテンツ閲覧端末及びコンテンツ閲覧プログラムに関するものである。
【背景技術】
【０００２】
従来、画像又は文書からなるコンテンツを閲覧及び配布するためのコンテンツ閲覧端末が知られている。このようなコンテンツ閲覧端末を用いてコンテンツを閲覧及び配布する場合、閲覧及び配布の途中でコンテンツが複製、移動、紛失されて内容が漏洩する虞がある。
【０００３】
そこで、コンテンツの複製を生成する機器の情報である複製器関連情報を複製後のコンテンツに付加するコンテンツ管理方法が提案されている（例えば、特許文献１参照）。
【特許文献１】特表２００７−５０９４３８号公報
【発明の開示】
【発明が解決しようとする課題】
【０００４】
しかしながら、特許文献１に記載のコンテンツ管理方法では、コンテンツの複製を生成した機器の情報がコンテンツの印刷時に印刷されるのみであり、コンテンツがどのようなデバイスを経由してきたのかを把握することができなかった。従って、情報漏洩を発見することができたとしても、どのデバイスの利用者が情報を漏洩させたのかを特定できないという問題点があった。
【０００５】
本発明は上記課題を解決するためになされたものであり、コンテンツがどのようなデバイス若しくは利用者を経由してきたのかを把握することができるコンテンツ閲覧端末及びコンテンツ閲覧プログラムを提供することを目的とする。
【課題を解決するための手段】
【０００６】
上記目的を達成するために、本発明の請求項１に記載のコンテンツ閲覧端末は、画像又は文書からなるコンテンツを表示する表示手段を備え、前記コンテンツの移動及び複製が可能なコンテンツ閲覧端末であって、前記コンテンツが経由した経由デバイスを識別するデバイス識別情報、及び前記経由デバイスの利用者を識別する利用者識別情報の少なくともいずれかを含む識別情報からなる経路情報と、前記コンテンツの内容自体に関する情報であるコンテンツ情報とを取得する情報取得手段と、前記情報取得手段により取得された経路情報に、経由デバイスとして自身の識別情報を追加した経路情報を作成する経路情報作成手段と、前記経路情報作成手段により作成された前記経路情報を、前記コンテンツ情報に対応付けて記憶装置に記憶させる経路情報記憶手段とを備えている。
【０００７】
また、本発明の請求項２に記載のコンテンツ閲覧端末は、請求項１に記載の発明の構成に加え、前記記憶装置に記憶されている経路情報、及び前記経路情報に対応するコンテンツ情報を他のコンテンツ閲覧端末に出力する情報出力手段を備えている。
【０００８】
また、本発明の請求項３に記載のコンテンツ閲覧端末は、請求項１又は２に記載の発明の構成に加え、前記記憶装置が着脱可能に設けられていることを特徴とする。
【０００９】
また、本発明の請求項４に記載のコンテンツ閲覧端末は、請求項１乃至３のいずれかに記載の発明の構成に加え、前記経路情報には前記識別情報が経由順に示されており、前記経路情報作成手段は、前記情報取得手段により取得された経路情報の経由順の最後に自身の識別情報を追加した経路情報を作成することを特徴とする。
【００１０】
また、本発明の請求項５に記載のコンテンツ閲覧端末は、請求項１乃至４のいずれかに記載の発明の構成に加え、前記コンテンツの印刷の指示を受け付ける印刷指示受付手段と、前記印刷指示受付手段により印刷の指示が受け付けられた前記コンテンツ情報と共に、前記コンテンツ情報に対応する前記経路情報を印刷させる指示を印刷装置に送信する印刷指示送信手段とを備えている。
【００１１】
また、本発明の請求項６に記載のコンテンツ閲覧端末は、請求項５に記載の発明の構成に加え、前記印刷指示送信手段は、前記経路情報として前記経路情報記憶手段に記憶された複数の前記識別情報のうち、所定数の前記識別情報のみを印刷させる指示を前記印刷装置へ送信することを特徴とする。
【００１２】
また、本発明の請求項７に記載のコンテンツ閲覧端末は、請求項６に記載の発明の構成に加え、前記印刷指示送信手段は、前記経路情報に追加された順番が遅い順に所定数の前記識別情報を前記印刷装置に送信することを特徴とする。
【００１３】
また、本発明の請求項８に記載のコンテンツ閲覧端末は、請求項６に記載の発明の構成に加え、前記経由デバイスが前記コンテンツ情報を保持していた時間を算出する保持時間算出手段を備え、前記印刷指示送信手段は、前記保持時間算出手段によって算出された保持時間が長い方から所定数の前記経由デバイスの前記識別情報を前記印刷装置に送信することを特徴とする。
【００１４】
また、本発明の請求項９に記載のコンテンツ閲覧端末は、請求項６乃至８のいずれかに記載の発明の構成に加え、前記経由デバイスを利用するユーザ毎に、前記識別情報が印刷される優先順位を記憶するユーザ優先順位記憶手段を備え、前記印刷指示送信手段は、前記ユーザ優先順位記憶手段に記憶されている優先順位が高いユーザが使用した前記経由デバイスの前記識別情報から優先して前記印刷装置に送信することを特徴とする。
【００１５】
また、本発明の請求項１０に記載のコンテンツ閲覧端末は、請求項６乃至８のいずれかに記載の発明の構成に加え、前記経由デバイス毎に、前記識別情報が印刷される優先順位を記憶するデバイス優先順位記憶手段を備え、前記印刷指示送信手段は、前記デバイス優先順位記憶手段に記憶されている優先順位が高い前記経由デバイスの前記識別情報から優先して前記印刷装置に送信することを特徴とする。
【００１６】
また、本発明の請求項１１に記載のコンテンツ閲覧端末は、請求項５乃至１０のいずれかに記載の発明の構成に加え、前記印刷装置によって前記コンテンツと共に印刷される前記経路情報を前記表示手段に表示させる印刷経路情報表示制御手段と、前記コンテンツ、及び前記印刷経路情報表示制御手段によって前記表示手段に表示された前記経路情報の印刷を許可するか否かの指示を受け付ける印刷許否受付手段とを備え、前記印刷指示送信手段は、前記印刷許否受付手段により印刷を許可することが受け付けられた場合に前記印刷装置に印刷指示を送信することを特徴とする。
【００１７】
また、本発明の請求項１２に記載のコンテンツ閲覧端末は、請求項１乃至１１のいずれかに記載の発明の構成に加え、前記記憶装置に前記経路情報として記憶されている前記識別情報の数が所定数以上であるか否かを判断する識別情報数判断手段と、前記識別情報数判断手段によって前記識別情報の数が所定数以上であると判断された場合に、前記コンテンツ情報の他のデバイスへの移動及び複製を禁止する禁止手段とを備えている。
【００１８】
また、本発明の請求項１３に記載のコンテンツ閲覧端末は、請求項１乃至１２のいずれかに記載の発明の構成に加え、前記記憶装置に前記経路情報として記憶されている前記識別情報の数が、記憶可能な最大数に達しているか否かを判断する記憶可否判断手段と、
前記記憶可否判断手段によって前記識別情報の数が最大数に達していると判断された場合に、優先順位の低い前記識別情報を前記経路情報から削除する識別情報削除手段とを備えている。
【００１９】
また、本発明の請求項１４に記載のコンテンツ閲覧端末は、請求項１乃至１３のいずれかに記載の発明の構成に加え、前記情報取得手段によって前記コンテンツ情報及び前記経路情報が取得される場合に、前記経路情報に識別情報が追加されることを許可するか否かの指示を受け付ける経路情報追加許否受付手段を備え、前記情報取得手段は、前記経路情報追加許否受付手段によって前記経路情報に追加されることを許可する旨が受け付けられた場合のみ前記コンテンツ情報及び前記経路情報を取得することを特徴とする。
【００２０】
また、本発明の請求項１５に記載のコンテンツ閲覧端末は、請求項１乃至１４のいずれかに記載の発明の構成に加え、前記記憶装置に記憶されている経路情報、及び前記経路情報に対応するコンテンツ情報を他のコンテンツ閲覧端末に出力する情報出力手段と、前記情報出力手段によって経路情報及びコンテンツ情報が出力される場合に、送信先のコンテンツ閲覧端末についての識別情報が前記経路情報に追加されることを許可するか否かの指示を受け付ける送信先情報追加許否受付手段とを備え、前記情報出力手段は、前記送信先情報追加許否受付手段によって前記経路情報に追加されることを許可する旨が受け付けられた場合のみ前記経路情報及び前記コンテンツ情報を出力することを特徴とする。
【００２１】
また、本発明の請求項１６に記載のコンテンツ閲覧プログラムは、請求項１乃至１５のいずれかに記載の発明の各種処理手段としてコンピュータを機能させる。
【発明の効果】
【００２２】
本発明の請求項１に記載のコンテンツ閲覧端末によると、コンテンツ自体の電子データであるコンテンツ情報が取得される際に、コンテンツが経由した経由デバイス、及び経由デバイスの利用者の少なくともいずれかを識別する識別情報からなる経路情報が、コンテンツ情報と共に取得される。そして、取得した経路情報に、経由デバイスとして自身のデバイスについての識別情報を追加した経路情報が作成されて、コンテンツ情報に対応付けて記憶される。従って、コンテンツがデバイス間で移動・複製される間にコンテンツが漏洩してしまった場合でも、どのような経路を経由して最終的に漏洩に至ったかを経路情報によって追跡することができる。よって、コンテンツ情報が漏洩した場合の漏洩元の調査が容易となり、コンテンツの情報漏洩を抑制することができる。
【００２３】
また、本発明の請求項２に記載のコンテンツ閲覧端末は、請求項１に記載の発明の効果に加え、経路情報及びコンテンツ情報を情報出力手段によって他のデバイスに出力することができ、出力された情報は情報取得手段によって出力先のデバイスに取得される。すなわち、情報出力手段を用いることで、デバイス間でのコンテンツの移動・複製を行うことができるため、コンテンツ閲覧端末の利便性を向上させることができる。また、コンテンツ情報と共に経路情報が出力され、出力先のコンテンツ閲覧端末において新たな経路情報が作成されるため、コンテンツ情報が送受信される間に情報が漏洩した場合でも、漏洩に至るまでの経路を追跡することができる。
【００２４】
また、本発明の請求項３に記載のコンテンツ閲覧端末は、請求項１又は２に記載の発明の効果に加え、記憶装置を取り外して他のデバイスに装着させることで、記憶装置に記憶されているコンテンツ情報及び経路情報が情報取得手段によって取得される。すなわち、記憶装置を移動させることで、デバイス間でのコンテンツの移動・複製を行うことができるため、コンテンツ閲覧端末の利便性を向上させることができる。また、記憶装置を装着したコンテンツ閲覧端末の識別情報が経路情報に追加されるため、漏洩に至るまでの経路を追跡することができる。
【００２５】
また、本発明の請求項４に記載のコンテンツ閲覧端末は、請求項１乃至３のいずれかに記載の発明の効果に加え、経路情報の経由順の最後に自身の識別情報が追加され、経路情報は、経由順が変更されることなくそのまま他のデバイスへ移動・複製される。従って、ユーザはコンテンツの経由順まで正確に特定することができ、情報の流れの管理がより容易となる。
【００２６】
また、本発明の請求項５に記載のコンテンツ閲覧端末は、請求項１乃至４のいずれかに記載の発明の効果に加え、コンテンツの印刷の指示を受け付けた場合に、印刷の指示を受け付けたコンテンツ情報と共に、このコンテンツ情報に対応する経路情報を印刷装置に印刷させることができるため、印刷された経路情報によってより容易に情報の流れの管理を行うことができる。
【００２７】
また、本発明の請求項６に記載のコンテンツ閲覧端末は、請求項５に記載の発明の効果に加え、コンテンツが多数のデバイスを経由した場合でも、所定数の経由デバイスの識別情報を経路情報として印刷させることができる。従って、経路情報が印刷されるスペースが狭い場合でも、適切な経路情報をユーザに通知することができる。また、大量の経路情報が印刷されて経路の把握が煩雑になることを防止することができる。
【００２８】
また、本発明の請求項７に記載のコンテンツ閲覧端末は、請求項６に記載の発明の効果に加え、印刷が行われる毎に、経路情報に追加された順が遅い方から所定数の識別情報をユーザに通知することができるため、ユーザは新しい経路情報を効率的に把握することができる。
【００２９】
また、本発明の請求項８に記載のコンテンツ閲覧端末は、請求項６に記載の発明の効果に加え、印刷が行われる毎に、コンテンツの保持時間が長い順に所定数の経由デバイスの識別情報をユーザに通知することができるため、ユーザはコンテンツの経路を効率良く追跡することができる。
【００３０】
また、本発明の請求項９に記載のコンテンツ閲覧端末は、請求項６乃至８のいずれかに記載の発明の効果に加え、例えばセキュリティレベルや職制等に応じたユーザの優先順位をユーザ優先順位記憶手段に記憶し、この優先順位が高いユーザに関する識別情報から優先して印刷装置に印刷させることができる。従って、ユーザの優先順位に応じて効率よく経路情報を把握することができる。
【００３１】
また、本発明の請求項１０に記載のコンテンツ閲覧端末は、請求項６乃至８のいずれかに記載の発明の効果に加え、デバイス毎の優先順位をデバイス優先順位記憶手段に記憶して、この優先順位が高いデバイスの識別情報から優先して印刷装置に印刷させることができる。従って、デバイスの優先順位に応じて効率よく経路情報を把握することができる。
【００３２】
また、本発明の請求項１１に記載のコンテンツ閲覧端末は、請求項５乃至１０のいずれかに記載の発明の効果に加え、コンテンツと共に印刷される経路情報を表示手段に表示し、この経路情報が印刷されることをユーザが了承した場合に印刷装置に印刷を実行させることができるため、情報漏洩に対するユーザの意識を高めることができる。また、情報漏洩について責任を持てないユーザは印刷をキャンセルすることができるため、漏洩を効果的に抑制することができる。
【００３３】
また、本発明の請求項１２に記載のコンテンツ閲覧端末は、請求項１乃至１１のいずれかに記載の発明の効果に加え、記憶装置に経路情報として記憶されている識別情報の数が所定数以上となっている場合に、コンテンツ情報の他のデバイスへの移動及び複製を禁止する。従って、コンテンツを複数のユーザに回覧させる際に、移動及び複製の回数を自由に制限することができるため、無制限にコンテンツが移動及び複製されて情報が漏洩してしまう虞を低くすることができる。
【００３４】
また、本発明の請求項１３に記載のコンテンツ閲覧端末は、請求項１乃至１２のいずれかに記載の発明の効果に加え、経路情報として記憶されている識別情報の数が記憶可能な最大数に達している場合に、優先順位の低い識別情報を経路情報から削除することができる。従って、識別情報が無限に経路情報へ追加されていくことを防ぐことができる。よって、データ量の増加によるデバイスへの処理負担の増加を防止しつつ、効率よく情報の流れを管理することができる。
【００３５】
また、本発明の請求項１４に記載のコンテンツ閲覧端末は、請求項１乃至１３のいずれかに記載の発明の効果に加え、他のデバイスからコンテンツ情報を取得する場合には、コンテンツ情報を取得するコンテンツ閲覧端末の識別情報が新たに経路情報に追加されることをユーザが了承する必要がある。従って、情報漏洩に対するユーザの意識を高めることができる。
【００３６】
また、本発明の請求項１５に記載のコンテンツ閲覧端末は、請求項１乃至１４のいずれかに記載の発明の効果に加え、他のコンテンツ閲覧端末にコンテンツ情報を出力する場合には、出力先のコンテンツ閲覧端末についての識別情報が新たに経路情報に追加されることをユーザが了承する必要がある。従って、コンテンツの出力指示を行うユーザの情報漏洩に対する意識を高めることができる。
【００３７】
また、本発明の請求項１６に記載のコンテンツ閲覧プログラムは、コンピュータに実行させることにより、請求項１乃至１５のいずれかに記載の発明の効果を奏することができる。
【発明を実施するための最良の形態】
【００３８】
以下、本発明の実施形態について、図面を参照して説明する。まず、図１を参照して、本実施形態のコンテンツ閲覧システム１００の概略について説明する。図１は、本実施形態のコンテンツ閲覧システム１００の概略を示すシステム構成図である。図１に示すように、コンテンツ閲覧システム１００は、複数の携帯端末１と、コンピュータ装置２と、印刷装置３とから構成されており、これらはＬＡＮ４を介して互いに接続される。
【００３９】
携帯端末１は表示部を備えた携帯型の端末であり、他の携帯端末１やコンピュータ装置２との間の情報の送受信や、印刷装置３への印刷指示の送信を行うことができる。そして、後述のコンテンツデータを他のデバイスからダウンロードし、文字や画像からなるコンテンツを表示部に表示させる。また、コンテンツデータが記憶されたメモリカードが交換されることによって、コンテンツデータをデバイス間で移動させることもできる。コンテンツデータは、文字や画像、映像、又はこれらを組み合わせた情報であるコンテンツの内容自体に関するコンテンツ情報と、コンテンツ名、経路情報等のコンテンツに関する付属の情報とからなる。コンテンツデータの詳細は後述する。
【００４０】
コンピュータ装置２はハードディスク装置（ＨＤＤ）及び表示部を備えており、コンテンツを作成することができる。そして、作成したコンテンツや他のデバイスからダウンロードしたコンテンツを表示部に表示させる。また、作成したコンテンツを携帯端末１で閲覧可能なデータに変換し、ＨＤＤやメモリカードに記憶させることができる。よって、メモリカードを他のデバイスに装着することで、ＬＡＮ４を介さずにコンテンツデータを移動させることができる。さらに、ＨＤＤに記憶されているコンテンツデータをＬＡＮ４により他のデバイスに送信することもでき、印刷装置３にコンテンツの印刷指示を送信して印刷を行わせることも可能である。
【００４１】
印刷装置３は、携帯端末１やコンピュータ装置２から印刷データを受信して印刷を実行できるものであればよく、レーザ、インクジェット等印刷方式を問わない。尚、本実施形態では、携帯端末１又はコンピュータ装置２で印刷データを作成して印刷装置３に送信しているが、携帯端末１又はコンピュータ装置２からはコンテンツのデータ自体を送信し、印刷装置３側で印刷データに展開してもよい。また、ＬＡＮ４を介した各デバイス間の接続は、有線接続であっても無線接続であってもよいし、これらは常時接続している必要はなく、データや印刷指示の送受信が行われる場合のみ接続すればよい。また、これらはＬＡＮ４を介さずにＵＳＢ等により直接接続することも可能である。
【００４２】
そして、以下説明する実施形態では、コンテンツのデバイス間の移動経路を示す後述の経路情報が、コンテンツの内容自体に関する情報であるコンテンツ情報と共に記憶されており、コンテンツが移動・複製される毎に経路情報が更新される。そして、コンテンツが印刷される場合には、コンテンツと共に経路情報も印刷されるため、コンテンツがどのようなデバイスを経由してきたのかを把握することができる。
【００４３】
次に、図２乃至図４を参照して、携帯端末１の電気的構成について説明する。図２は、携帯端末１の電気的構成を示すブロック図であり、図３は、メモリカード１９のコンテンツデータ記憶エリア１９１に記憶されるコンテンツデータの構成を示す模式図であり、図４は、ＥＥＰＲＯＭ１３の構成を示す模式図である。
【００４４】
図２に示すように、携帯端末１には、携帯端末１の制御を司るＣＰＵ１０が設けられている。そして、このＣＰＵ１０には、ＲＯＭ１１、ＲＡＭ１２、ＥＥＰＲＯＭ１３、入力部１４、表示部１５、外部通信Ｉ／Ｆ１６、計時装置１７、及びメモリカードＩ／Ｆ１８がバスを介して接続されている。ＲＯＭ１１は、携帯端末１を動作させるためのプログラム等を記憶しており、ＲＡＭ１２は各種のデータを一時的に記憶し、ＥＥＰＲＯＭ１３は不揮発性のメモリである。また、入力部１４はユーザによる入力を受け付けるボタンや十字キーからなり、表示部１５はコンテンツを表示する。また、外部通信Ｉ／Ｆ１６により、携帯端末１がコンピュータ装置２や印刷装置３や他の携帯端末１等の他のデバイスに接続され、計時装置１７では時間が計時される。また、メモリカードＩ／Ｆ１８により、携帯端末１にメモリカード１９が接続される。そして、メモリカード１９には、文字や画像、映像、又はこれらを組み合わせた情報であるコンテンツ情報と、コンテンツ名、経路情報等のコンテンツに関する付属の情報とからなる後述するコンテンツデータを記憶するコンテンツデータ記憶エリア１９１が設けられている。
【００４５】
次に、図３を参照して、メモリカード１９のコンテンツデータ記憶エリア１９１に記憶されるコンテンツデータの構成について説明する。図３に示すように、コンテンツデータは、各コンテンツに固有のコンテンツＩＤと、コンテンツ名と、上述のコンテンツ情報と、コンテンツの経路を記憶するか否かを示す経路要否情報と、コンテンツがどのようなデバイスを経由してきたのかを示す経路情報とから構成されており、このコンテンツデータがコンテンツ毎に記憶されている。経路情報は、コンテンツの経路を記憶することが経路要否情報に示されている場合に作成・記憶される。そして、この経路情報は、コンテンツが経由した各デバイス（以下、「経由デバイス」という。）に関する識別情報から構成されている。識別情報は、経由デバイスを識別するためのデバイス識別情報である経由デバイスの機器ＩＤと、経由デバイスの利用者を識別するための利用者識別情報である経由デバイスのユーザ名とからなる。さらに、経路情報には、「新規作成」「移動」「複製」「印刷」のいずれかの属性と、ユーザへの連絡先と、経由デバイスがコンテンツを取得した日時とが含まれている。ここで、経路情報を構成する機器ＩＤ等の各情報は変更が可能であり、例えば連絡先は必ずしも記憶する必要はないし、他の情報を経路情報として新たに記憶してもよい。
【００４６】
図３に示す例では、コンテンツＩＤが「Ｄ１０１」であるコンテンツデータについて記されている。このコンテンツは文書からなり、コンテンツ名は「文書１」である。そして、コンテンツの経路を記憶するか否かを示す経路要否情報が「要」となっているため、経路情報が作成・記憶されている。まず、１つ目の経由デバイスの機器ＩＤである「ＰＣ０１２」と、１つ目の経由デバイスのユーザ名である「ｓｕｚｕｋｉ」とが、１つ目の経由デバイスについての識別情報として「ｒｏｕｔｅ００１」欄に記憶されている。また、「ｒｏｕｔｅ００１」欄には、１つめの経由デバイスでコンテンツが新規作成されたことを示す「新規作成」が属性として記憶されている。さらに、コンテンツが新規作成された日時である「２００７／０１／０１」が記憶されている。尚、機器ＩＤが「ＰＣ０１２」であるデバイスにはユーザの連絡先が登録されていなかったため、連絡先は記憶されていない。
【００４７】
そして、「ｒｏｕｔｅ００２」欄には、２つ目の経由デバイスの機器ＩＤである「Ｖｉｅｗｅｒ１０４」と、２つ目の経由デバイスのユーザ名である「ｙａｍａｄａ」とが識別情報として記憶されている。また、属性としては、１つ目の経由デバイスから２つ目の経由デバイスにコンテンツが複製されたことを示す「複製」が記憶されている。さらに、「ｙａｍａｄａ」の連絡先の内線番号である「１２３４」と、２つ目の経由デバイスにコンテンツが複製された日時である「２００７／０１／０１」とが経路情報の「ｒｏｕｔｅ００２」欄に記憶されている。そして、これと同様に３番目の経由デバイスに関する情報が「ｒｏｕｔｅ００３」欄に、４番目の経由デバイスに関する情報が「ｒｏｕｔｅ００４」欄に記憶されている。尚、経路情報の作成・記憶に関する動作の詳細については図面を参照して後述する。
【００４８】
次に、図４を参照して、ＥＥＰＲＯＭ１３の構成について説明する。携帯端末１のＥＥＰＲＯＭ１３には、機器ＩＤ記憶エリア１３１と、ユーザ名記憶エリア１３２と、連絡先記憶エリア１３３と、閾値記憶エリア１３４とが少なくとも設けられている。機器ＩＤ記憶エリア１３１には、その携帯端末を他の機器から識別するための機器ＩＤが記憶され、ユーザ名記憶エリア１３２には、携帯端末１を使用しているユーザの名称が記憶される。また、連絡先記憶エリア１３３には、携帯端末１を使用しているユーザの連絡先が記憶され、閾値記憶エリア１３４には、印刷が可能な識別情報の最大数等の各種閾値が記憶される。図４に示す例の携帯端末１は、機器ＩＤが「Ｖｉｅｗｅｒ１０４」であり、ユーザ名が「ｙａｍａｄａ」、このユーザの連絡先の内線番号が「１２３４」である。本実施の形態では、機器ＩＤは携帯端末１の製造時にあらかじめ記憶されており、ユーザ名及び連絡先はユーザによって登録・変更される。そして、ＥＥＰＲＯＭ１３に記憶されているこれらの情報は、メモリカード１９のコンテンツデータ記憶エリア１９１に経路情報として記憶される（図３参照）。また、閾値記憶エリア１３４に記憶されている閾値は変更が可能である。
【００４９】
次に、図５を参照して、コンピュータ装置２の電気的構成について説明する。図５は、コンピュータ装置２の電気的構成を示すブロック図である。図５に示すように、コンピュータ装置２には、コンピュータ装置２の制御を司るＣＰＵ２０が設けられている。そして、このＣＰＵ２０には、ＲＯＭ２１、ＲＡＭ２２、ハードディスク装置（ＨＤＤ）２３、入力部２４、表示部２５、外部通信Ｉ／Ｆ２６、計時装置２７、及びメモリカードＩ／Ｆ２８がバスを介して接続されている。ＲＯＭ２１は、コンピュータ装置２を動作させるためのプログラム等を記憶しており、ＲＡＭ２２は各種のデータを一時的に記憶し、ＨＤＤ２３は各種情報を記憶する。また、入力部２４はユーザによる入力を受け付けるキーボード及びマウスからなり、表示部２５は画像を出力するディスプレイからなる。また、外部通信Ｉ／Ｆ２６によってコンピュータ装置２が他のデバイスに接続され、計時装置２７では時間が計時される。また、メモリカードＩ／Ｆ２８によってコンピュータ装置２にメモリカード１９が接続される。
【００５０】
そして、ＨＤＤ２３には、そのコンピュータ装置を他の機器から識別するための機器ＩＤを記憶する機器ＩＤ記憶エリア２３１と、コンピュータ装置２を使用しているユーザの名称を記憶するユーザ名記憶エリア２３２と、コンテンツデータを記憶するコンテンツデータ記憶エリア２３３とが少なくとも設けられている。図５に示す例のコンピュータ装置２は、製造時にあらかじめ記憶されている機器ＩＤが「ＰＣ０１２」であり、登録されているユーザ名が「ｓｕｚｕｋｉ」である。そして、コンピュータ装置２では、コンテンツの内容を含めたコンテンツデータ全体が作成され、携帯端末１で閲覧可能なデータに変換されて、メモリカード１９のコンテンツデータ記憶エリア１９１及びＨＤＤ２３のコンテンツデータ記憶エリア２３３に記憶される。
【００５１】
次に、印刷装置３について説明する。印刷装置３は、携帯端末１と同様に不揮発メモリであるＥＥＰＲＯＭを備えている。そして、このＥＥＰＲＯＭには、その印刷装置を他の機器から識別するための機器ＩＤを記憶する機器ＩＤ記憶エリアと、印刷装置３を使用しているユーザ名やグループ名、設置場所等の情報を記憶するユーザ名記憶エリアとが設けられている。また、本実施形態では、携帯端末１及びコンピュータ装置２から、識別情報の送信要求が印刷前に印刷装置３へなされる。そして、送信要求を受けた印刷装置３は、自身の識別情報である機器ＩＤ及びユーザ名を送信する。これにより、印刷による複製の情報を含めた経路情報が作成されるが、この詳細はフローチャートを参照して後述する。
【００５２】
次に、上記のように構成された第一の実施形態に係る携帯端末１の動作について、図６乃至図１８を参照して説明する。図６は、第一の実施形態の携帯端末１で行われる携帯端末メイン処理のフローチャートであり、図７は、携帯端末メイン処理で実行される経路チェック処理のフローチャートである。また、図８は、携帯端末メイン処理で実行される一覧表示処理のフローチャートであり、図９は、携帯端末メイン処理で実行されるキー入力待機処理のフローチャートであり、図１０は、キー入力待機処理で実行されるコンテンツ選択処理のフローチャートである。また、図１１は、キー入力待機処理で実行されるコンテンツ決定処理のフローチャートであり、図１２は、キー入力待機処理で実行される頁めくり処理のフローチャートであり、図１３は、キー入力待機処理で実行されるコンテンツ送信処理のフローチャートである。また、図１４は、キー入力待機処理で実行される経路表示処理のフローチャートであり、図１５は、携帯端末メイン処理で実行される経路追加処理のフローチャートである。また、図１６は、キー入力待機処理で実行されるコンテンツ印刷処理のフローチャートであり、図１７は、コンテンツ印刷処理で実行される経路リスト生成処理のフローチャートであり、図１８は、図３に示すコンテンツデータが印刷された印刷物を示す図である。
【００５３】
携帯端末１では、電源が投入されるとＲＯＭ１１に記憶されているプログラムがＲＡＭ１２に読み出されて起動され、図６に示す携帯端末メイン処理がＣＰＵ１０により実行される。まず、経路チェック処理が実行される（Ｓ１）。この経路チェック処理は、携帯端末１の電源が「ＯＦＦ」となっている間にメモリカード１９が交換されていた場合でも、常に最新の経路情報を作成・記憶するために行われる。
【００５４】
ここで、図７を参照して、経路チェック処理の詳細について説明する。図７に示すように、経路チェック処理では、まず、メモリカード１９に記憶されている全てのコンテンツデータについてのチェック処理が完了したか否かが判断される（Ｓ１１）。処理が完了していなければ（Ｓ１１：ＮＯ）、コンテンツデータの経路のチェック処理が順に行われる（Ｓ１２〜Ｓ１４）。まず、処理中のコンテンツデータが経路を記憶すべきデータであるか否かが判断される（Ｓ１２）。コンテンツの経路を記憶することがコンテンツデータの経路要否情報（図３参照）に示されていない場合には（Ｓ１２：ＮＯ）、そのままＳ１１の判断へ戻る。経路を記憶することが示されている場合には（Ｓ１２：ＹＥＳ）、コンテンツデータの経路情報における最新の識別情報（図３に示す経路情報の中で、「ｒｏｕｔｅ」番号が最大の欄に記憶されている機器ＩＤ及びユーザ名）が自身の識別情報であるか否かが判断される（Ｓ１３）。最新の識別情報の機器ＩＤが自身の機器ＩＤと一致している場合には（Ｓ１３：ＹＥＳ）、メモリカード１９は他のデバイスを経由していないので、そのままＳ１１の判断へ戻る。一方で、機器ＩＤが一致せず、最新の識別情報が自身の情報でないと判断された場合には（Ｓ１３：ＮＯ）、ＥＥＰＲＯＭ１３（図４参照）に記憶されている機器ＩＤ、ユーザ名、及び連絡先と、計時装置１７により計時されている現在時刻と、属性を示す「移動」とが経路情報に追加されて（Ｓ１４）、Ｓ１１の判断へ戻る。そして、全てのコンテンツデータについてのチェック処理が完了すると（Ｓ１１：ＹＥＳ）、携帯端末メイン処理へ戻る。
【００５５】
次いで、図６に示すように、経路チェック処理（Ｓ１）が終了すると、一覧表示処理が実行される（Ｓ２）。一覧表示処理では、図８に示すように、メモリカード１９に記憶されている全コンテンツの情報（コンテンツＩＤ、コンテンツ名等）が取得されて（Ｓ１８）、全コンテンツの一覧画面が表示部１５に表示され（Ｓ１９）、携帯端末メイン処理に戻る。
【００５６】
次いで、一覧表示処理（Ｓ２）の終了後、電源ＯＦＦ操作が実行されれば（Ｓ３：ＹＥＳ）、携帯端末メイン処理を終了する。電源ＯＦＦ操作が実行されなければ（Ｓ３：ＮＯ）、Ｓ４〜Ｓ７の処理が繰り返し行われる。まず、キー入力待機処理が実行される（Ｓ４）。キー入力待機処理は、入力部１４からの入力操作に応じて携帯端末１の各種機能を呼び出す処理である。ここでは、コンテンツ選択処理、コンテンツ決定処理、頁めくり処理、一覧表示処理、コンテンツ印刷処理、コンテンツ送信処理、経路表示処理の７つの処理を挙げているが、携帯端末１で可能な動作はこれらに限られるものではない。
【００５７】
図９に示すように、キー入力待機処理が開始されると、入力部１４の上下ボタンによるコンテンツ選択操作が行われたか否かが判断され（Ｓ２１）、選択操作が行われた場合には（Ｓ２１：ＹＥＳ）、コンテンツ選択処理が実行される（Ｓ２２）。コンテンツ選択処理では、図１０に示すように、一覧画面が表示中であれば（Ｓ３８：ＹＥＳ）、一覧表示されているコンテンツの中でハイライト表示されている選択コンテンツが更新されて（Ｓ３９）、キー入力待機処理に戻り、さらに携帯端末メイン処理に戻る。一覧画面が表示されていなければ（Ｓ３８：ＮＯ）、このキー操作は無効となり、そのままキー入力待機処理に戻って、さらに携帯端末メイン処理に戻る。
【００５８】
選択操作が行われていない場合には（Ｓ２１：ＮＯ）、決定ボタンによるコンテンツ決定操作が行われたか否かが判断され（Ｓ２３）、決定操作が行われた場合には（Ｓ２３：ＹＥＳ）、コンテンツ決定処理が実行される（Ｓ２４）。コンテンツ決定処理では、図１１に示すように、一覧画面が表示中であれば（Ｓ４１：ＹＥＳ）、一覧表示されているコンテンツの中でハイライト表示されている選択コンテンツのコンテンツデータがメモリカード１９から取得され（Ｓ４２）、コンテンツ内容の１ページ目が表示部１５に表示される（Ｓ４３）そして、キー入力待機処理に戻り、さらに携帯端末メイン処理に戻る。一覧画面が表示されていなければ（Ｓ４１：ＮＯ）、このキー操作は無効となり、そのままキー入力待機処理に戻って、さらに携帯端末メイン処理に戻る。
【００５９】
コンテンツ決定操作が行われていない場合には（Ｓ２３：ＮＯ）、入力部１４の左右ボタンによる頁めくり操作が行われたか否かが判断され（Ｓ２５）、頁めくり操作が行われた場合には（Ｓ２５：ＹＥＳ）、頁めくり処理が実行される（Ｓ２６）。頁めくり処理では、図１２に示すように、コンテンツが表示中であれば（Ｓ４６：ＹＥＳ）、表示中のコンテンツの更新ページ（次ページ又は前ページ）を表示させる（Ｓ４７）。そして、キー入力待機処理に戻り、さらに携帯端末メイン処理に戻る。コンテンツが表示されていなければ（Ｓ４６：ＮＯ）、このキー操作は無効となり、そのままキー入力待機処理に戻り、さらにメイン処理に戻る。
【００６０】
頁めくり操作が行われていない場合には（Ｓ２５：ＮＯ）、一覧表示操作キーが操作されたか否かが判断され（Ｓ２７）、一覧表示操作キーが操作された場合には（Ｓ２７：ＹＥＳ）、先述したＳ２の処理と同様の一覧表示処理（図８参照）が実行されて（Ｓ２８）、携帯端末メイン処理に戻る。
【００６１】
一覧表示操作キーが操作されていない場合には（Ｓ２７：ＮＯ）、コンテンツ印刷操作がなされたか否かが判断される（Ｓ２９）。コンテンツ印刷操作は、表示中のコンテンツの画面に表示された印刷ボタンを入力部１４により選択することで行われる。コンテンツ印刷操作がなされた場合には（Ｓ２９：ＹＥＳ）、コンテンツ印刷処理が実行される（Ｓ３０）。このコンテンツ印刷処理については、図１６乃至図１８を参照して後述する。
【００６２】
コンテンツ印刷処理がなされていない場合には（Ｓ２９：ＮＯ）、送信ボタンが選択されたか否かによりコンテンツ送信操作が行われたか否かが判断され（Ｓ３１）、コンテンツ送信操作が行われた場合には（Ｓ３１：ＹＥＳ）、コンテンツ送信処理が実行される（Ｓ３２）。コンテンツ送信処理では、図１３に示すように、コンテンツが表示中であれば（Ｓ６６：ＹＥＳ）、他のデバイスが接続中か否かが外部通信Ｉ／Ｆ１６の監視結果により判断される（Ｓ６７）。デバイスが接続されていれば（Ｓ６７：ＹＥＳ）、表示部１５に表示されているコンテンツが送信されて（Ｓ６８）、キー入力待機処理に戻り、さらに携帯端末メイン処理に戻る。デバイスが接続されていなければ（Ｓ６７：ＮＯ）、「送信できません」という送信不可メッセージが表示部１５に所定時間表示されて（Ｓ６９）、キー入力待機処理に戻り、さらに携帯端末メイン処理に戻る。また、コンテンツ送信操作が行われた際にコンテンツが表示されていなければ（Ｓ６６：ＮＯ）、キー操作は無効となってそのままキー入力待機処理に戻り、さらに携帯端末メイン処理に戻る。
【００６３】
コンテンツ送信操作が行われていない場合には（Ｓ３１：ＮＯ）、経路表示ボタンが選択されたか否かにより経路表示操作が行われたか否かが判断される（Ｓ３３）。経路表示操作が行われていない場合には（Ｓ３３：ＮＯ）、そのまま携帯端末メイン処理に戻る。経路表示操作が行われた場合には（Ｓ３３：ＹＥＳ）、経路表示処理が実行される（Ｓ３４）。経路表示処理では、図１４に示すように、コンテンツが表示中であれば（Ｓ７１：ＹＥＳ）、メモリカード１９のコンテンツデータ記憶エリア１９１から、表示中コンテンツのコンテンツデータ（図３参照）内の経路情報が読み出されて、経路情報の一覧が表示部１５に表示される（Ｓ７２）。そして、所定時間経過後に、経路情報表示前の画面表示に表示内容が戻されて（Ｓ７３）、キー入力待機処理に戻り、さらに携帯端末メイン処理に戻る。また、コンテンツが表示中でなければ（Ｓ７１：ＮＯ）、キー操作は無効となってそのままキー入力待機処理に戻り、さらに携帯端末メイン処理に戻る。
【００６４】
そして、図６のフローチャートの説明に戻り、キー入力待機処理（Ｓ４）が終了すると、他のデバイスからのコンテンツの受信があるか否かが判断される（Ｓ５）。コンテンツの受信がない場合には（Ｓ５：ＮＯ）、そのままＳ３の判断へ戻る。コンテンツの受信がある場合には（Ｓ５：ＹＥＳ）、コンテンツデータが受信されてメモリカード１９のコンテンツデータ記憶エリア１９１に記憶され（Ｓ６）、経路追加処理が実行される（Ｓ７）。この経路追加処理では、受信したコンテンツデータの経路情報に自身の識別情報を追加して、最新の経路情報を作成する処理が行われる。
【００６５】
ここで、図１５を参照して、経路追加処理の詳細について説明する。図１５に示すように、経路追加処理では、受信した全てのコンテンツデータについて経路の追加処理が完了したか否かが判断される（Ｓ７７）。処理が完了していなければ（Ｓ７７：ＮＯ）、経路の追加処理が順に行われる（Ｓ７８及びＳ７９）。まず、処理中のコンテンツデータが経路を記憶すべきデータであるか否かが判断される（Ｓ７８）。コンテンツの経路を記憶することがコンテンツデータの経路要否情報（図３参照）に示されていない場合には（Ｓ７８：ＮＯ）、そのままＳ７７の判断へ戻る。経路を記憶することが示されている場合には（Ｓ７８：ＹＥＳ）、ＥＥＰＲＯＭ１３（図４参照）に記憶されている経路情報（機器ＩＤ及びユーザ名）と、ユーザへの連絡先と、計時装置１７により計時されている現在時刻と、属性を示す「複製」とが経路情報に追加されて（Ｓ７９）、Ｓ７７の判断へ戻る。そして、受信した全てのコンテンツデータについて経路の追加処理が完了した場合には（Ｓ７７：ＹＥＳ）、携帯端末メイン処理へ戻る。携帯端末メイン処理（図６参照）では、経路追加処理（Ｓ７）が終了すると、Ｓ３の判断へ戻る。
【００６６】
次に、図１６乃至図１８を参照して、メイン処理のキー入力待機処理の中で実行されるコンテンツ印刷処理について説明する。コンテンツ印刷操作が行われてコンテンツ印刷処理が実行されると、図１６に示すように、コンテンツが表示中であるか否かが判断される（Ｓ５１）。表示中でなければ（Ｓ５１：ＮＯ）、そのままキー入力待機処理に戻り、さらにメイン処理に戻る。コンテンツが表示中であれば（Ｓ５１：ＹＥＳ）、印刷装置３に接続中か否かが外部通信Ｉ／Ｆ１６の監視結果により判断される（Ｓ５２）。印刷装置３に接続中でなければ（Ｓ５２：ＮＯ）、「印刷装置に接続されていません」という印刷装置未接続メッセージが表示部１５に表示される（Ｓ５３）。そして、所定時間経過後にメッセージ表示前の画面表示に表示内容が戻されて（Ｓ５４）、キー入力待機処理に戻り、さらに携帯端末メイン処理に戻る。
【００６７】
印刷装置に接続中である場合には（Ｓ５２：ＹＥＳ）、印刷を実行するコンテンツが経路を記憶すべきコンテンツであるか否かが判断される（Ｓ５５）。コンテンツの経路を記憶することがコンテンツデータの経路要否情報（図３参照）に示されていない場合には（Ｓ５５：ＮＯ）、コンテンツの本文のデータから印刷データが生成される（Ｓ５９）。そして、生成された印刷データが印刷装置３へ送信されて（Ｓ６０）、キー入力待機処理に戻り、さらに携帯端末メイン処理に戻る。一方で、コンテンツの経路情報を記憶することが経路要否情報に示されている場合には（Ｓ５５：ＹＥＳ）、印刷装置３への識別情報の送信要求が行われて印刷装置３の識別情報が取得される（Ｓ５６）。そして、コンテンツデータの経路情報（図３参照）に印刷装置３の識別情報が追加される（Ｓ５７）。詳細には、印刷装置３から取得した識別情報である機器ＩＤ及びユーザ名（設置場所）と、計時装置１７により計時されている現在時刻と、属性を示す「印刷」とが経路情報に追加される。そして、経路リスト生成処理（Ｓ５８）が実行される。この経路リスト生成処理では、経路情報として経由デバイス毎に記憶されている複数の識別情報から、印刷が可能な最大件数の識別情報が優先条件に従って抽出され、経路リストとして生成される。
【００６８】
図１７に示すように、経路リスト生成処理が開始されると、コンテンツデータ（図３参照）の経路情報の中に、経路リストに追加する識別情報が有るか否かの判断が行われる（Ｓ６１）。追加する識別情報がある場合には（Ｓ６１：ＹＥＳ）、経路リストに追加された識別情報のリストの数が、印刷可能な最大件数を示す閾値以上となっているか否かが判断される（Ｓ６２）。リスト数が閾値よりも少なければ（Ｓ６２：ＮＯ）、まだ経路リストに登録されていない識別情報の中で、コンテンツを取得した日時が最新となっている識別情報が経路リストに追加されて（Ｓ６３）、Ｓ６１の判断へ戻る。そして、経路リストに追加する識別情報が無い場合（Ｓ６１：ＮＯ）、若しくは経路リストに追加された識別情報のリスト数が閾値以上となった場合には（Ｓ６２：ＹＥＳ）、コンテンツ印刷処理に戻る。
【００６９】
そして、図１６の説明に戻り、経路リスト生成処理（Ｓ５８）が終了すると、生成された経路リストとコンテンツの本文のデータとから印刷データが生成される（Ｓ５９）。そして、生成された印刷データが印刷装置３へ送信されて（Ｓ６０）、キー入力待機処理に戻り、さらに携帯端末メイン処理に戻る。すると、図１８に示すように、コンテンツの内容と共に経路情報が印刷装置３によって印刷される。従って、コンテンツの内容と共に印刷されている経路情報によって容易に漏洩元の調査を行うことができる。
【００７０】
次に、図１９乃至図２１を参照して、コンピュータ装置２における処理について説明する。図１９は、コンピュータ装置２で行われるコンテンツ受信処理のフローチャートであり、図２０は、コンテンツ受信処理で実行される経路追加処理のフローチャートであり、図２１は、コンピュータ装置２で実行されるコンテンツ送信処理のフローチャートである。以下説明するコンテンツ受信処理及びコンテンツ送信処理は、ＲＯＭ２１に記憶されているプログラムにより、ＣＰＵ２０において実行される
【００７１】
まず、コンテンツ受信処理について説明する。他のデバイスからコンテンツの受信があると、図１９に示すコンテンツ受信処理が割り込みにより実行され、コンテンツデータが受信されてＨＤＤ２３のコンテンツデータ記憶エリア２３３に記憶される（Ｓ８１）。ここで、コンピュータ装置２にメモリカード１９が装着されている場合には、受信されたコンテンツデータはメモリカード１９にも記憶される。次いで、経路追加処理が行われる（Ｓ８２）。
【００７２】
図２０に示すように、経路追加処理が開始されると、受信した全てのコンテンツデータについての経路の追加処理が完了したか否かが判断される（Ｓ８５）。処理が完了していなければ（Ｓ８５：ＮＯ）、経路の追加処理が順に行われ、処理中のコンテンツデータが経路を記憶すべきデータであるか否かが判断される（Ｓ８６）。経路を記憶することがコンテンツデータに示されていない場合には（Ｓ８６：ＮＯ）、そのままＳ８５の判断へ戻る。経路を記憶することが示されている場合には（Ｓ８６：ＹＥＳ）、ＨＤＤ２３（図５参照）に記憶されている識別情報である機器ＩＤ及びユーザ名と、現在時刻と、属性を示す「複製」とが経路情報に追加されて（Ｓ８７）Ｓ８５の判断へ戻る。そして、受信した全てのコンテンツデータについて経路の追加処理が完了した場合には（Ｓ８５：ＹＥＳ）、コンテンツ受信処理は終了する。
【００７３】
次いで、コンテンツ送信処理について説明する。入力部２４が操作されることにより、コンテンツを他のデバイスへ送信する指示が行われた場合には、図２１に示すコンテンツ送信処理が割り込みにより実行される。コンテンツ送信処理では、コンテンツの送信が可能な他のデバイスが接続中か否かが、外部通信Ｉ／Ｆ２６の監視結果により判断される（Ｓ９１）。デバイスが接続されていれば（Ｓ９１：ＹＥＳ）、送信指示のあったコンテンツがデバイスに送信されて（Ｓ９２）、コンテンツ送信処理は終了する。一方で、デバイスが接続されていなければ（Ｓ９１：ＮＯ）、「送信できません」という送信不可メッセージが表示部２５に所定時間表示されて（Ｓ９３）、コンテンツ送信処理は終了する。
【００７４】
以上説明したように、第一の実施形態の携帯端末１を備えたコンテンツ閲覧システムによれば、コンテンツを閲覧するための複数のデバイス（携帯端末１及びコンピュータ装置２）の間でコンテンツが移動・複製される場合には、コンテンツがどのデバイスを経由してきたのかを示す経路情報に、移動・複製先のデバイスの機器ＩＤやユーザを示す識別情報が追加される。従って、コンテンツが漏洩してしまった場合でも、どのデバイス若しくは利用者を経由して漏洩に至ったのかを経路情報によって追跡することができ、さらにはコンテンツの漏洩を抑制することもできる。そして、識別情報は経由順に経路情報に追加され、この経由順が変更されることなくそのまま他のデバイスに移動・複製されるため、ユーザはコンテンツの経由順まで正確に特定することができ、情報の流れの管理をより容易に行うことができる。
【００７５】
また、経路情報への識別情報の追加は、メモリカード１９の差し替えによるコンテンツの移動・複製、及びデータの送信による移動・複製のいずれの場合にも実行される。よって、コンテンツを移動・複製させる際の利便性を向上させつつ、コンテンツの経路を把握することができる。また、コンテンツが印刷される場合には、経路情報に追加された順番が遅い順に所定数の識別情報がコンテンツの内容と共に印刷される。従って、印刷スペースを無駄に使うことなく効率的に、新しい経路情報をユーザに通知することができる。
【００７６】
尚、上記第一の実施形態において、携帯端末１及びコンピュータ装置２が本発明の「コンテンツ閲覧端末」に相当し、図３に示すコンテンツデータの経路情報として記憶される機器ＩＤが「デバイス識別情報」に、ユーザ名が「利用者識別情報」に相当する。また、図６のＳ６及び図１９のＳ８１でコンテンツデータを受信するＣＰＵ１０，２０、及びメモリカードＩ／Ｆ１８，２８によりメモリカード１９からコンテンツデータを取得するＣＰＵ１０，２０が「情報取得手段」として機能する。また、図７のＳ１４、図１５のＳ７９、及び図２０のＳ８７で経路情報に自身の識別情報を追加するＣＰＵ１０，２０が「経路情報作成手段」として機能する。また、メモリカード１９及びコンピュータ装置２のＨＤＤ２３が「記憶装置」に相当し、図７のＳ１４、図１５のＳ７９、及び図２０のＳ８７で経路情報をメモリカード１９に記憶させるＣＰＵ１０，２０が「経路情報記憶手段」として機能する。また、図１３及び図２１でコンテンツデータを他のデバイスに送信するＣＰＵ１０，２０が「情報出力手段」として機能し、携帯端末１の入力部１４が「印刷指示受付手段」に相当し、図１６のＳ６０でコンテンツ内容及び経路情報の印刷データを印刷装置３に送信する携帯端末１のＣＰＵ１０が「印刷指示送信手段」として機能する。
【００７７】
尚、上記第一の実施形態は様々な変形が可能である。まず、第一の実施形態では、コンテンツと共に印刷される識別情報のリストを生成する経路リスト生成処理（図１７参照）では、経路情報に追加された順番が新しい順に所定数の識別情報が追加される構成であったが、これを変更することができる。以下、経路リスト生成処理の各種変形例について説明する。
【００７８】
まず、図２２を参照して、コンテンツの保持時間が長い経路の識別情報から順にリストへ追加される場合の経路リスト生成処理について説明する。図２２は、図１７に示す経路リスト生成処理の変形例１のフローチャートである。図２２に示すように、コンテンツの保持時間が長い方から所定数の識別情報を印刷する場合、まず、経路情報の日時の差分から各経路の保持時間が算出される（Ｓ９６）。ここで、最新の経路の保持時間は、経路情報の日時と現在時刻との差分とする。次いで、経路情報の中に、経路リストに追加する識別情報が有るか否かの判断が行われる（Ｓ９７）。追加する識別情報がある場合には（Ｓ９７：ＹＥＳ）、経路リストに追加された識別情報のリスト数が、印刷可能な最大件数を示す閾値以上となっているかが判断される（Ｓ９８）。リスト数が閾値よりも少なければ（Ｓ９８：ＮＯ）、まだ経路リストに登録されていない識別情報の中で、算出された保持時間が最も長い経路の識別情報が経路リストに追加されて（Ｓ９９）、Ｓ９７の判断へ戻る。そして、経路リストに追加する識別情報が無い場合（Ｓ９７：ＮＯ）、若しくは経路リストに追加された識別情報のリスト数が閾値以上となれば（Ｓ９８：ＹＥＳ）、コンテンツ印刷処理（図１６参照）に戻る。
【００７９】
以上のように、保持時間が長い経路の識別情報から順にリストへ追加して印刷することにより、コンテンツの保持時間が長いデバイス若しくはユーザを把握することが容易となる。そして、コンテンツの保持時間が長い程、コンテンツ漏洩時の経路追跡における重要性が高いため、保持時間が長いデバイス若しくはユーザを把握することで、印刷スペースを無駄に使うことなく効率的に、コンテンツを漏洩させた危険性の高いユーザを把握することができる。尚、図２２のＳ９７で保持時間を算出する携帯端末１のＣＰＵ１０が、本発明の「保持時間算出手段」として機能する。
【００８０】
次に、図２３及び図２４を参照して、優先順位が高いユーザの識別情報から順にリストへ追加される場合の経路リスト生成処理について説明する。図２３は、ユーザのレベルが識別情報と共に記憶されている場合のコンテンツデータの構成を示す模式図であり、図２４は、図１７に示す経路リスト生成処理の変形例２のフローチャートである。優先順位が高いユーザの識別情報が優先して印刷される場合、ユーザのレベルが「４」から「０」のいずれかにあらかじめ設定されており、各デバイスのＥＥＰＲＯＭやＨＤＤには、機器ＩＤやユーザ名の情報に加えてユーザのレベルが記憶されている。このレベルは変更することも可能である。そして、図２３に示すように、各デバイスを経由する毎に作成される経路情報にはユーザのレベルも併せて追加される。
【００８１】
そして、図２４に示すように、経路リスト生成処理が開始されると、経路リストに追加される識別情報を決定するために現在設定されているレベルであるカレントレベルが、最大値である「４」に設定される（Ｓ１０２）。次いで、カレントレベルが「０」より小さいか否かが判断され（Ｓ１０３）、「０」以上であれば（Ｓ１０３：ＮＯ）、経路リストのリスト数が閾値以上となっているか否かが判断される（Ｓ１０４）。リスト数が閾値よりも少なければ（Ｓ１０４：ＮＯ）、設定されているカレントレベルとレベルが一致し、且つまだ経路リストに登録されていない識別情報の中で、日時が最新の経由デバイスについての識別情報が経路リストに追加される（Ｓ１０５）。次いで、カレントレベルとレベルが一致し、且つ経路リストに登録されていない識別情報が存在するか否かが判断され（Ｓ１０６）、存在する場合には（Ｓ１０６：ＹＥＳ）、Ｓ１０４の判断に戻る。そして、経路情報を追加する処理が繰り返し行われ、リスト数が閾値以上となれば（Ｓ１０４：ＹＥＳ）、コンテンツ印刷処理（図１６参照）に戻る。また、レベルが一致する未登録の経路情報が存在しない場合には（Ｓ１０６：ＮＯ）、カレントレベルが「１」マイナスされて（Ｓ１０７）、Ｓ１０３の判断へ戻る。そして、カレントレベルが「０」より小さくなれば（Ｓ１０３：ＹＥＳ）、コンテンツ印刷処理に戻る。
【００８２】
以上のように、セキュリティレベルや職制等に応じてあらかじめユーザの優先順位を設定することで、情報漏洩に対して責任を取るべきユーザや、セキュリティ管理を行うべきユーザを容易に把握することができる。従って、情報漏洩が生じた場合でも、漏洩元の調査を効率よく行うことができる。尚、ユーザのレベルを識別情報と共に記憶するメモリカード１９が、本発明の「ユーザ優先順位記憶手段」に相当する。
【００８３】
また、上記の経路リスト生成処理をさらに変更することも可能である。例えば、図１７に示すＳ６１の処理の後に、コンテンツを取得した日時が最も古い経由デバイスの識別情報を経路リストに追加してから以降の処理を行うことで、コンテンツを新規に作成したユーザやデバイスに関わる識別情報を常に把握することができる。この場合、コンテンツの作成者をすぐに特定することができるため、例えば、作成者と連絡を取る必要がある場合等に便利である。また、図２４に示すＳ１０５の処理では、レベルが一致する未登録の経路の中から日時が最新の経路の識別情報が経路リストに追加されているが、図２２に示す処理と同様に保持時間を算出し、保持時間が長い経路の識別情報から経路リストに追加する構成としてもよい。これにより、コンテンツの保持時間が長いユーザを、情報漏洩の危険性が高いユーザとして効率よく把握することができる。また、図２４に示す処理ではユーザの優先順位に従って経路リストを作成しているが、ユーザの優先順位でなくデバイスの優先順位をレベル分けしてデバイス毎に設定し、これに応じて識別情報を印刷する構成とすることも可能である。これにより、情報漏洩に対して責任を取るべきユーザが使用するデバイスを容易に把握することが可能となる。
【００８４】
次に、本発明の第二の実施形態に係る携帯端末２０１の動作について、図２５を参照して説明する。図２５は、第二の実施形態の携帯端末２０１で実行されるコンテンツ送信処理のフローチャートである。第二の実施形態である携帯端末２０１は、第一の実施形態の携帯端末１の変形例であり、コンテンツが移動・複製・印刷された回数が所定数以上となった場合に、他のデバイスへのコンテンツの送信を禁止する点に特徴を有する。尚、第二の実施形態の携帯端末２０１は、識別情報を記憶できる最大数を示す閾値が記憶されている点、及びキー入力待機処理で実行されるコンテンツ送信処理（図９、Ｓ３２参照）の一部以外は第一の実施形態の携帯端末１と同じである。よって、その他の処理や全体の構成、電気的構成については説明を省略し、第一の実施形態におけるコンテンツ送信処理（図１３参照）と同じ処理については同一のステップ番号を付して説明を簡略化する。
【００８５】
第二の実施形態の携帯端末２０１では、ＥＥＰＲＯＭ１３の閾値記憶エリア１３４（図４参照）に、経路情報（図３参照）として記憶できる識別情報の最大数を示す閾値が記憶されている。この閾値は変更することが可能である。そして、コンテンツ送信処理では、図２５に示すように、表示中コンテンツを他のデバイスに送信する操作が行われた場合には（Ｓ６６：ＹＥＳ）、経路情報として記憶されている識別情報の数、すなわち経路数が閾値より小さいか否かが判断され（Ｓ１１１）、小さい場合には（Ｓ１１１：ＹＥＳ）、デバイスが接続されているか否かに応じてコンテンツの送信処理が行われる（Ｓ６７〜Ｓ６９）。一方で、経路数が閾値以上であれば（Ｓ１１１：ＮＯ）、経路情報に識別情報を追加することができないため、「これ以上の他のデバイスへのコンテンツ送信はできません」という移動制限メッセージが表示部１５に表示されて（Ｓ１１２）、キー入力待機処理に戻り、さらに携帯端末メイン処理に戻る。
【００８６】
以上説明したように、第二の実施形態の携帯端末２０１によると、コンテンツが移動・複製・印刷された結果、経路情報として経路毎に記憶されている識別情報の数が所定数以上となった場合には、他のデバイスへのコンテンツの送信を禁止することができる。従って、所定数以上のコンテンツ情報（コンテンツデータ）の移動・複製の回数を制限することができるため、移動・複製が繰り返されることによる情報漏洩のリスクの増加を防止することができる。
【００８７】
尚、上記第二の実施形態において、図２５に示すＳ１１１で識別情報の数が所定数以上であるか否かを判断する携帯端末２０１のＣＰＵ１０が「識別情報数判断手段」として機能する。また、Ｓ１１１で識別情報の数が所定数以上であると判断された場合にコンテンツの送信を禁止する携帯端末２０１のＣＰＵ１０が「禁止手段」に相当する。
【００８８】
また、上記第二の実施形態は変更することが可能である。例えば、第二の実施形態では経路数が最大値に達した場合に他のデバイスへのコンテンツの送信を禁止しているが、コンテンツの送信でなく印刷を禁止する構成としてもよいし、メモリカード１９によるコンテンツの移動を禁止する構成としてもよい。また、移動、複製、及び印刷の３つの動作のうち、２つ以上の動作を禁止してもよい。いずれの場合にも、移動・複製が繰り返されることによる情報漏洩のリスクの増加を防止することができる。
【００８９】
次に、本発明の第三の実施形態に係る携帯端末３０１の動作について、図２６及び図２７を参照して説明する。図２６は、第三の実施形態の携帯端末３０１で行われるコンテンツ送信処理のフローチャートであり、図２７は、第三の実施形態のコンテンツ送信処理で実行される削除経路選択処理のフローチャートである。第三の実施形態である携帯端末３０１は、経路情報として経路毎に記憶されている識別情報の数が所定数以上に達している場合に、優先順位の最も低い識別情報を経路情報から削除する点に特徴を有する。尚、第三の実施形態の携帯端末３０１は、キー入力待機処理で実行されるコンテンツ送信処理（図９、Ｓ３２参照）の一部以外は第一及び第二の実施形態と同じである。よって、第一の実施形態におけるコンテンツ送信処理（図１３参照）と同じ処理については同一のステップ番号を付して説明を簡略化し、その他の説明については省略する。
【００９０】
第三の実施形態の携帯端末３０１では、第二の実施形態と同様に、経路情報として経路毎に記憶できる識別情報の最大数を示す閾値が閾値記憶エリア１３４（図４参照）に記憶されており、この値はユーザによる設定が可能である。そして、コンテンツ送信処理では、図２６に示すように、表示中コンテンツを他のデバイスに送信する操作が行われ（Ｓ６６：ＹＥＳ）、デバイスが接続中であれば（Ｓ６７：ＹＥＳ）、経路情報として記憶されている識別情報の数、すなわち経路数が閾値よりも小さいか否かが判断される（Ｓ１１５）。小さい場合には（Ｓ１１５：ＹＥＳ）、接続中のデバイスにコンテンツが送信されて（Ｓ６８）、キー入力処理に戻る。一方で、経路数が閾値以上であれば（Ｓ１１５：ＮＯ）、削除経路選択処理が実行される（Ｓ１１６）。削除経路選択処理では、図２７に示すように、日時の情報が最も古い経路の識別情報が削除対象の識別情報として選択されて（Ｓ１２１）、コンテンツ送信処理に戻る。そして、選択された識別情報（機器ＩＤ及びユーザ名）と、これに対応する属性や連絡先等の情報とが経路情報から削除され（Ｓ１１７）、経路情報を含むコンテンツデータが接続中のデバイスに送信されて（Ｓ６８）、キー入力待機処理に戻る。
【００９１】
以上説明したように、第三の実施形態の携帯端末３０１によると、経路情報として経路毎に記憶されている識別情報の数が所定数以上に達している場合に、コンテンツの取得日時が最も古い経路の識別情報を経路情報から削除することができる。これにより、識別情報が経路情報に無限に追加されていくことを防ぐことができるため、データ量の増加によるデバイスへの処理負担の増加を防止しつつ、効率よく情報の流れを管理することができる。
【００９２】
尚、上記第三の実施形態において、図２６のＳ１１５で経路情報の数が記憶可能な最大数に達しているか否かを判断する携帯端末３０１のＣＰＵ１０が「記憶可否判断手段」として機能する。また、Ｓ１１５乃至Ｓ１１７で、識別情報の数が最大数に達していると判断された場合に優先順位の低い識別情報を経路情報から削除する携帯端末３０１のＣＰＵ１０が「識別情報削除手段」として機能する。
【００９３】
また、上記第三の実施形態は様々な変形が可能である。例えば、第三の実施形態の削除経路選択処理（図２７参照）では、コンテンツの取得日時が最も古い経路の識別情報を優先順位が低い識別情報として削除対象としているが、削除する識別情報の選択方法は変更することができる。以下、削除経路選択処理の各種変形例について説明する。
【００９４】
まず、図２８を参照して、コンテンツの保持時間が最も短い経路の識別情報を優先順位が低い識別情報として削除対象とする場合の削除経路選択処理について説明する。図２８は、図２７に示す削除経路選択処理の変形例１のフローチャートである。図２２に示すように、コンテンツの保持時間が最も短い経路の識別情報を削除対象として選択する場合には、経路情報の日時の差分から各経路の保持時間が計算される（Ｓ１２２）。ここで、最新の経路の保持時間は、経路情報の日時と現在時刻との差分とする。そして、計算された保持時間が最も短い経路の識別情報が削除対象として選択されて（Ｓ１２３）、コンテンツ送信処理（図２６参照）に戻る。
【００９５】
以上のように、保持時間の短い識別情報から削除することで、保持時間の長い識別情報を、情報漏洩の危険性が高いユーザ及びデバイスに関する識別情報として残すことができるため、情報の流れの管理を効率よく実行することができる。尚、識別情報の削除が実行された後でも各経路の正確な保持時間を計算する場合には、経路情報の日時の差分を保持時間とする代わりに、識別情報が新たに追加される毎に保持時間情報を経路情報に追加することで実現可能である。
【００９６】
次に、図２９を参照して、設定された優先順位が低いユーザについての識別情報から順に削除対象とする場合の削除経路選択処理について説明する。図２９は、図２７に示す削除経路選択処理の変形例２のフローチャートである。この場合には、ユーザのレベルが「４」から「０」のいずれかにあらかじめ設定されており、設定されたレベルが各デバイスのＥＥＰＲＯＭやＨＤＤ等に記憶されている。そして、各デバイスを経由する毎に作成される経路情報には、図２３に示す変形例と同様に、ユーザのレベルも識別情報に対応させて追加される。
【００９７】
そして、図２９に示すように、削除経路選択処理が実行されると、現在設定されているレベルであるカレントレベルが最小値である「０」に設定される（Ｓ１２５）。次いで、カレントレベルが「４」より大きいか否かが判断され（Ｓ１２６）、「４」以下であれば（Ｓ１２６：ＮＯ）、設定されているカレントレベルとレベルが一致するユーザに対応する識別情報が存在するか否かが判断される（Ｓ１２７）。存在しない場合には（Ｓ１２７：ＮＯ）、カレントレベルが「１」プラスされて（Ｓ１２８）、Ｓ１２６の判断へ戻る。レベルが一致するユーザに対応する識別情報が存在する場合には（Ｓ１２７：ＹＥＳ）、カレントレベルが一致し、且つ日時が最も古いユーザの識別情報が削除対象として選択されて（Ｓ１２９）、コンテンツ送信処理（図２６参照）に戻る。また、削除対象とする識別情報が選択されないままカレントレベルが「４」より大きくなった場合には（Ｓ１２６：ＹＥＳ）、エラー処理が行われ、経路情報が削除されて（Ｓ１３０）、コンテンツ送信処理に戻る。
【００９８】
以上のように、セキュリティレベルや職制等に応じてあらかじめユーザの優先順位を設定することで、設定された優先順位が低いユーザの識別情報から順に削除される。従って、情報漏洩の責任を取るべきユーザの識別情報を経路情報として管理することができ、ユーザの優先順位に応じて効率よく漏洩元の調査を行うことができる。尚、図２９に示す削除経路処理をさらに変更することも可能である。例えば、Ｓ１２９の処理において、コンテンツの保持時間が最も短い経路の識別情報を削除対象として選択することで、保持時間の長い経路の識別情報を、情報漏洩の危険性が高いユーザ及びデバイスに関する識別情報として残すことができる。また、ユーザの優先順位でなくデバイスの優先順位をレベル分けしてデバイス毎に設定し、これに応じて削除対象とする識別情報を選択することで、情報漏洩に対して責任を取るべきユーザが使用するデバイスを容易に把握することが可能となる。
【００９９】
次に、本発明の第四の実施形態に係る携帯端末４０１の動作について、図３０を参照して説明する。図３０は、第四の実施形態の携帯端末４０１で実行されるコンテンツ印刷処理のフローチャートである。第四の実施形態である携帯端末４０１は、第一の実施形態の携帯端末１の変形例であり、コンテンツの内容と共に経路情報が印刷されることをユーザが了承しなければ、印刷装置３へ印刷データが送信されない点に特徴を有する。尚、第四の実施形態の携帯端末４０１は、キー入力待機処理で実行されるコンテンツ印刷処理（図９、Ｓ３０参照）の一部以外は第一の実施形態の携帯端末１と同じである。よって、その他の処理や構成の説明は省略し、第一の実施形態におけるコンテンツ印刷処理（図１６参照）と同じ処理については同一のステップ番号を付して説明を簡略化する。
【０１００】
図３０に示すように、第四の実施形態におけるコンテンツ印刷処理では、表示中コンテンツを他のデバイスに送信する操作が行われた場合には（Ｓ５１：ＹＥＳ）、表示中のコンテンツの経路情報の一覧が表示部１５に表示される（Ｓ１３２）。そして、印刷継続操作が行われたか否かが判断され（Ｓ１３３）、表示部１５に表示された印刷継続ボタンが選択された場合には（Ｓ１３３：ＹＥＳ）、印刷に関する処理へ移行する（Ｓ５２〜Ｓ６０）。一方で、印刷中止ボタンが選択された場合には（Ｓ１３３：ＮＯ）、コンテンツ印刷処理を終了し、キー入力待機処理に戻る。
【０１０１】
以上説明したように、第四の実施形態の携帯端末４０１によると、ユーザがコンテンツの印刷を印刷装置３に実行させる場合には、表示部１５に表示された経路情報がコンテンツ内容と共に印刷されることを了承しなければならないため、情報漏洩に対するユーザの意識を高めることができる。また、情報漏洩について責任を持てないユーザは印刷をキャンセルすることができるため、情報漏洩をより効果的に抑制することができる。尚、図３０に示すＳ１３２で、コンテンツ内容と共に印刷される経路情報を表示部１５に表示させる処理を行う携帯端末１のＣＰＵ１０が、本発明の「印刷経路情報表示制御手段」として機能する。また、携帯端末４０１の入力部１４が「印刷許否受付手段」に相当する。
【０１０２】
次に、本発明の第五の実施形態に係る携帯端末５０１の動作について、図３１を参照して説明する。図３１は、第五の実施形態の携帯端末５０１で実行される経路追加処理のフローチャートである。第五の実施形態である携帯端末５０１は、第一の実施形態の変形例であり、使用中のデバイスの機器ＩＤ、及び自身のユーザ名が経路情報に追加されることをユーザが了承しなければ、他のデバイスからコンテンツを受信することができない点に特徴を有する。尚、第一の実施形態における経路追加処理（図１５参照）と同じ処理については同一のステップ番号を付して説明を簡略化し、経路追加処理以外の処理及び構成については、全て第一の実施形態と同一であるため説明を省略する。
【０１０３】
図３１に示すように、第五の実施形態における経路追加処理が開始されると、受信コンテンツのリストと、ＥＥＰＲＯＭ１３（図４参照）に記憶されている自身の識別情報（機器ＩＤ及びユーザ名）及びユーザへの連絡先が表示部１５に表示される（Ｓ１３６）。そして、表示されている情報が受信コンテンツの経路情報に追加されることをユーザが了承したか否かが判断され（Ｓ１３７）、表示部１５に表示された「了承する」ボタンが選択された場合には（Ｓ１３７：ＹＥＳ）、コンテンツを受信して識別情報等を追加する処理が行われる（Ｓ７７〜Ｓ７９）。一方で、「了承しない」ボタンが選択された場合には（Ｓ１３７：ＮＯ）、受信したコンテンツデータがメモリカード１９から削除されて（Ｓ１３８）、携帯端末メイン処理（図６参照）に戻る。
【０１０４】
以上説明したように、第五の実施形態の携帯端末５０１によると、他のデバイスからコンテンツを受信する場合には、使用中のデバイスの機器ＩＤ及び自身のユーザ名が経路情報に追加されることをユーザが了承しなければならないため、情報漏洩に対するユーザの意識を高めることができる。尚、携帯端末５０１の入力部１４が本発明の「経路情報追加許否受付手段」に相当する。また、Ｓ１３６で表示される情報は変更が可能であり、例えばコンテンツデータ内の経路情報全体が表示される構成としてもよいし、ＥＥＰＲＯＭ１３に記憶されている情報の中の特定の情報のみが表示される構成としてもよい。
【０１０５】
次に、本発明の第六の実施形態に係る携帯端末６０１の動作について、図３２を参照して説明する。図３２は、第六の実施形態の携帯端末６０１で実行されるコンテンツ送信処理のフローチャートである。第六の実施形態である携帯端末６０１は、第一の実施形態の変形例であり、送信先のデバイスの識別情報が経路情報に追加されることをユーザが了承しなければ、他のデバイスにコンテンツを送信することができない点に特徴を有する。尚、第一の実施形態におけるコンテンツ送信処理（図１３参照）と同じ処理については同一のステップ番号を付して説明を簡略化し、コンテンツ送信処理以外の処理及び構成については、全て第一の実施形態と同一であるため説明を省略する。
【０１０６】
図３２に示すように、第六の実施形態におけるコンテンツ送信処理では、表示中コンテンツを他のデバイスに送信する操作が行われ（Ｓ６６：ＹＥＳ）、他のデバイスが接続中であれば（Ｓ６７：ＹＥＳ）、接続されている送信先デバイスに識別情報の送信要求が行われ、送信先デバイスの識別情報が取得される（Ｓ１４１）。そして、取得された識別情報が表示部１５に表示されて（Ｓ１４２）、送信継続操作が行われたか否かが判断される（Ｓ１４３）。表示部１５に表示された送信継続ボタンが選択された場合には（Ｓ１４３：ＹＥＳ）、接続中のデバイスにコンテンツデータが送信されて（Ｓ６８）、キー入力待機処理（図９参照）に戻る。一方で、印刷中止ボタンが選択された場合には（Ｓ１４３：ＮＯ）、コンテンツデータは送信されずにそのままキー入力待機処理に戻る。
【０１０７】
以上説明したように、第六の実施形態の携帯端末６０１によると、ユーザが他のデバイスにコンテンツを送信する場合には、送信先のデバイスの識別情報が経路情報に追加されることを了承しなければならないため、情報漏洩に対するユーザの意識を高めることができ、漏洩を防止することができる。尚、携帯端末６０１の入力部１４が「送信先情報追加許否受付手段」に相当する。
【０１０８】
尚、本発明は上記第一〜第六実施形態に限定されることなく、様々な変形が可能である。まず、上記実施形態では携帯端末及びコンピュータ装置２が本発明における「コンテンツ閲覧端末」として機能しているが、コンテンツを閲覧できるデバイスであれば、例えば携帯電話等の他のデバイスに本発明を適用することも可能である。また、上記実施形態における携帯端末が実行可能な処理の全てを、コンピュータ装置２も同様に実行できる構成としてもよい。また、携帯端末のＥＥＰＲＯＭ１３には、機器ＩＤ等の識別情報に加えてコンテンツデータを記憶させてもよい。さらに、上記実施形態では、機器を識別する機器ＩＤ及び機器の利用者を識別するユーザ名が共に経路情報として記憶されているが、機器ＩＤ及びユーザ名の少なくとも一方を記憶すればコンテンツの経路を追跡することが可能となる。
【０１０９】
また、経路情報（図３参照）として記憶されるユーザ名は、ユーザによってあらかじめＥＥＰＲＯＭ１３（図４参照）に登録されている。しかし、携帯端末が起動される際にユーザのパスワードを入力させる構成とし、パスワードから識別されるログインユーザ名を経路情報に追加してもよい。また、図１８に示すように、上記実施形態では経路情報が紙面上部に印刷されているが、印刷箇所は変更してもよく、コピーを取ると文字として浮き出る地紋や、注視することで内容を認識できる地紋等により印刷を行ってもよい。
【０１１０】
また、上記実施形態ではコンテンツデータの送受信を行うとデータが複製されるが、送信を行ったコンテンツデータが削除されるように設定し、印刷以外の方法によるコンテンツの複製を禁止することもできる。これにより、コンテンツのセキュリティをさらに向上させることができる。また、上記実施形態では、メモリカード１９によるコンテンツデータの移動は携帯端末の電源が「ＯＦＦ」となっている間に実行されるが、電源「ＯＮ」時にメモリカード１９の交換を検出して移動を可能としてもよい。この場合、図７に示す経路チェック処理を割り込みにより実行すればよい。また、上記の６つの実施形態及び変形例を任意に組み合わせることが可能であることは言うまでもない。
【図面の簡単な説明】
【０１１１】
【図１】本実施形態のコンテンツ閲覧システム１００の概略を示すシステム構成図である。
【図２】携帯端末１の電気的構成を示すブロック図である。
【図３】メモリカード１９のコンテンツデータ記憶エリア１９１に記憶されるコンテンツデータの構成を示す模式図である。
【図４】ＥＥＰＲＯＭ１３の構成を示す模式図である。
【図５】コンピュータ装置２の電気的構成を示すブロック図である。
【図６】第一の実施形態の携帯端末１で行われる携帯端末メイン処理のフローチャートである。
【図７】携帯端末メイン処理で実行される経路チェック処理のフローチャートである。
【図８】携帯端末メイン処理で実行される一覧表示処理のフローチャートである。
【図９】携帯端末メイン処理で実行されるキー入力待機処理のフローチャートである。
【図１０】キー入力待機処理で実行されるコンテンツ選択処理のフローチャートである。
【図１１】キー入力待機処理で実行されるコンテンツ決定処理のフローチャートである。
【図１２】キー入力待機処理で実行される頁めくり処理のフローチャートである。
【図１３】キー入力待機処理で実行されるコンテンツ送信処理のフローチャートである。
【図１４】キー入力待機処理で実行される経路表示処理のフローチャートである。
【図１５】携帯端末メイン処理で実行される経路追加処理のフローチャートである。
【図１６】キー入力待機処理で実行されるコンテンツ印刷処理のフローチャートである。
【図１７】コンテンツ印刷処理で実行される経路リスト生成処理のフローチャートである。
【図１８】図３に示すコンテンツデータが印刷された印刷物を示す図である。
【図１９】コンピュータ装置２で行われるコンテンツ受信処理のフローチャートである。
【図２０】コンテンツ受信処理で実行される経路追加処理のフローチャートである。
【図２１】コンピュータ装置２で実行されるコンテンツ送信処理のフローチャートである。
【図２２】図１７に示す経路リスト生成処理の変形例１のフローチャートである。
【図２３】ユーザのレベルが識別情報と共に記憶されている場合のコンテンツデータの構成を示す模式図である。
【図２４】図１７に示す経路リスト生成処理の変形例２のフローチャートである。
【図２５】第二の実施形態の携帯端末２０１で実行されるコンテンツ送信処理のフローチャートである。
【図２６】第三の実施形態の携帯端末３０１で行われるコンテンツ送信処理のフローチャートである。
【図２７】第三の実施形態のコンテンツ送信処理で実行される削除経路選択処理のフローチャートである。
【図２８】図２７に示す削除経路選択処理の変形例１のフローチャートである。
【図２９】図２７に示す削除経路選択処理の変形例２のフローチャートである。
【図３０】第四の実施形態の携帯端末４０１で実行されるコンテンツ印刷処理のフローチャートである。
【図３１】第五の実施形態の携帯端末５０１で実行される経路追加処理のフローチャートである。
【図３２】第六の実施形態の携帯端末６０１で実行されるコンテンツ送信処理のフローチャートである。
【符号の説明】
【０１１２】
１，２０１，３０１，４０１，５０１，６０１    携帯端末
２    コンピュータ装置
３    印刷装置
１０    ＣＰＵ
１３    ＥＥＰＲＯＭ
１４    入力部
１５    表示部
１９    メモリカード
２０    ＣＰＵ
２３    ＨＤＤ
２４    入力部
２５    表示部
１３１，２３１    機器ＩＤ記憶エリア
１３２，２３２    ユーザ名記憶エリア
１９１，２３３    コンテンツデータ記憶エリア
【図１】
2009070308.tif 000003
【図２】
2009070308.tif 000004
【図３】
2009070308.tif 000005
【図４】
2009070308.tif 000006
【図５】
2009070308.tif 000007
【図６】
2009070308.tif 000008
【図７】
2009070308.tif 000009
【図８】
2009070308.tif 000010
【図９】
2009070308.tif 000011
【図１０】
2009070308.tif 000012
【図１１】
2009070308.tif 000013
【図１２】
2009070308.tif 000014
【図１３】
2009070308.tif 000015
【図１４】
2009070308.tif 000016
【図１５】
2009070308.tif 000017
【図１６】
2009070308.tif 000018
【図１７】
2009070308.tif 000019
【図１８】
2009070308.tif 000020
【図１９】
2009070308.tif 000021
【図２０】
2009070308.tif 000022
【図２１】
2009070308.tif 000023
【図２２】
2009070308.tif 000024
【図２３】
2009070308.tif 000025
【図２４】
2009070308.tif 000026
【図２５】
2009070308.tif 000027
【図２６】
2009070308.tif 000028
【図２７】
2009070308.tif 000029
【図２８】
2009070308.tif 000030
【図２９】
2009070308.tif 000031
【図３０】
2009070308.tif 000032
【図３１】
2009070308.tif 000033
【図３２】
2009070308.tif 000034